(57)【特許請求の範囲】
【請求項１】
ます本体と、
フィルターと
を備え、
前記ます本体は、
下部に泥溜部を有し、
前記泥溜部よりも上部に設けられた流入口と、
前記泥溜部よりも上部で、かつ、前記流入口とは別の位置に設けられた流出口と
を備え、
前記フィルターは、
前記ます本体内において流出口に取り付けられており、
前記流入口と前記流出口とを隔て、かつ、前記流出口よりも上方まで延びており、
当該フィルターによって隔てられた前記ます本体の前記流出口側の領域は空洞であり、
当該フィルターの上端は、
前記ます本体内において、前記流出口の上端よりも高い位置で前記流出口側の領域に対して開口しており、
前記フィルターが目詰まりした際に、前記ます本体内において、前記流入口側の領域から前記ます本体の前記流出口側の領域へ、前記フィルターの上端を超えて排水が流出する、
ます。
【請求項２】
請求項１に記載された、ますと、
前記ますの前記流入口に接続される、排水の流入管と、
前記ますの前記流出口に接続される、排水の貯留浸透槽と
を備えた、排水システム。
【発明の詳細な説明】
【技術分野】
【０００１】
本発明は、ますに関する。
【背景技術】
【０００２】
一般に、屋根等に降った雨水は、宅地内の雨水ます等によって集められ、雨水浸透ます等によって地中に浸透させる。また、家屋等から排出される雑排水は、排水管を介して宅地内の排水ますに集められる。その後、地中に浸透できなかった雨水は公道に設けられた側溝または下水道本管に流入し、雑排水は下水道本管に流入する。
【０００３】
これら雨水排水管および排水管を通過する雨水および雑排水には、枯葉や食物等のゴミが混入していることがある。そのため、例えば、ゴミが下流側の雨水ますや排水ますに集まり、これらのますにゴミが堆積して詰まってしまうおそれがある。また、宅地内において雨水を貯留浸透させるための雨水貯留浸透槽を設けているような場合、当該雨水貯留浸透槽にゴミが堆積して詰まってしまうおそれがある。そこで、以前より、ます内において下流側の配管にゴミが流入しないようにゴミを捕捉するためのフィルターが用いられている（例えば、下記特許文献１、２参照）。
【先行技術文献】
【特許文献】
【０００４】
【特許文献１】実公昭６１−４１８１３号公報
【特許文献２】特開平８−２８４２４５号公報
【発明の概要】
【発明が解決しようとする課題】
【０００５】
しかしながら、特許文献１および特許文献２に開示されたフィルターは、椀型に形成されており、フィルターの有効表面積が小さく、すぐに目詰まりを起こしてしまう。そのため、特許文献１および特許文献２に開示されたフィルターを用いた場合、頻繁に詰まりの有無についての点検や掃除等のメンテナンスを行う必要があった。
【０００６】
ここで、かかる点に鑑みてなされたものであり、その目的とするところは、ます内に配置されるフィルター装置およびそれを備えたフィルターますに関し、目詰まりを少なくし、メンテナンスの頻度を少なくすることにある。
【課題を解決するための手段】
【０００７】
以下、ここで提案されるます（１）を説明する。なお、カッコ内の符号は、図３および図２を参照した符号であるが、本発明は何ら図３および図２の実施形態に限定されない。
【０００８】
ここで提案されるます（１）は、ます本体（２）と、フィルター（２１）とを備えている。ます本体（２）は、下部に泥溜部（２ｙ）を有している。また、ます本体（２）は、泥溜部（２ｙ）よりも上部に設けられた流入口（２ａ）と、泥溜部（２ｙ）よりも上部で、かつ、流入口（２ａ）とは別の位置に設けられた流出口（２ｂ）とを備えている。フィルター（２１）は、ます本体（２）内において流出口（２ｂ）に取り付けられており、流入口（２ａ）と流出口（２ｂ）とを隔て、かつ、流出口（２ｂ）よりも上方まで延びている。当該フィルター（２１）によって隔てられたます本体（２）の流出口（２ｂ）側の領域は空洞であり、当該フィルター（２１）の上端は、ます本体（２）内において、流出口（２ｂ）の上端よりも高い位置で流出口（２ｂ）側の領域に対して開口している。また、フィルター（２１）が目詰まりした際に、ます本体（２）内において、流入口（２ｂ）側の領域からます本体（２）の流出口（２ｂ）側の領域へ、フィルター（２１）の上端を超えて排水が流出する。
【０００９】
また、ここで提案される、排水システムは、上述したます（１）と、ます（１）の流入口（２ｂ）に接続される、排水の流入管（１１）と、ます（１）の流出口（２ｂ）に接続される、排水の貯留浸透槽（１０８）とを備えているとよい。
【００１０】
ここで提案される、ますおよび排水システムによれば、メンテナンスの頻度を少なくすることができる。
【図面の簡単な説明】
【００１１】
【図１】実施形態１に係るフィルター装置を備えたフィルターますが取り付けられた排水システムの構成を示す平面図である。
【図２】実施形態１に係るフィルターます付近を示す縦断面図である。
【図３】実施形態１に係るフィルターますの縦断面図である。
【図４】実施形態１におけるます本体の一部を示す平面図である。
【図５】実施形態１におけるバケットの側面図である。
【図６】実施形態１におけるバケットの縦断面図である。
【図７】（ａ）は実施形態１におけるフィルターの平面図である。（ｂ）は実施形態１におけるフィルターの側面および縦断面を示す図である。
【図８】（ａ）は実施形態１における支持部材の平面図である。（ｂ）は実施形態１における支持部材の縦断面図である。
【図９】実施形態１における支持部材の側面図である。
【図１０】（ａ）は、実施形態１に係るフィルター装置の通常時における作用を説明するための図である。（ｂ）は、実施形態１に係るフィルター装置の目詰まり時における作用を説明するための図である。
【図１１】実施形態２に係るフィルターますの縦断面図である。
【図１２】（ａ）は実施形態２におけるフィルターの平面図である。（ｂ）は実施形態２におけるフィルターの側面および縦断面を示す図である。
【図１３】（ａ）は実施形態２における支持部材の平面図である。（ｂ）は実施形態２における支持部材の縦断面図である。
【図１４】（ａ）は変形例１におけるフィルターの平面図である。（ｂ）は変形例１におけるフィルターの側面および縦断面を示す図である。
【図１５】（ａ）は変形例２におけるフィルターの平面図である。（ｂ）は変形例２におけるフィルターの側面および縦断面を示す図である。
【図１６】（ａ）は変形例３に係るフィルター装置の平面図である。（ｂ）は変形例３に係るフィルター装置の側面および縦断面を示す図である。
【図１７】（ａ）、（ｂ）は変形例４に係るフィルターますの平面図である。
【図１８】（ａ）、（ｂ）は変形例５に係るフィルター装置の側面および縦断面を示す図である。
【図１９】変形例６に係るフィルター装置の斜視図である。
【発明を実施するための最良の形態】
【００１２】
以下、図面を参照しながら本発明を包含しうる実施の形態について種々詳細に説明する。
【００１３】
（実施形態１）
−フィルターます１の使用環境−
まずは、図１を参照して、本実施形態１に係るフィルター装置１０を備えたフィルターます１の使用環境について詳細に説明する。
【００１４】
図１は、本実施形態１に係るフィルターます１が取り付けられた排水システムの構成を示す平面図である。フィルターます１が取り付けられた排水システムは、家屋１００を配する宅地１０１と宅地１０１に沿って延びる公道１０２とに跨って設けられている。
【００１５】
図１において、符号１０３は家屋１００内の雑排水を集水する排水ますを示す。符号１０４は、雨水ます又は雨水浸透ます（以下、単に雨水ますという）を示す。
【００１６】
各排水ます１０３は、排水管１０５によって相互に連結されている。排水管１０５の終端は、宅地１０１と公道１０２との境界付近に設けられた公共ます１０７に接続されている。公共ます１０７は、公道１０２に設けられた下水道本管１１０と合流管１０９を介して接続されている。
【００１７】
一方、各雨水ます１０４は、雨水排水管１０６によって連結されている。雨水排水管１０６の終端は、宅地１０１と公道１０２との境界付近に設けられた雨水貯留浸透槽１０８に接続されている。雨水貯留浸透槽１０８は、公道１０２に設けられた側溝１１２と雨水合流管１１１を介して接続されている。なお、雨水貯留浸透槽１０８とは、例えば、水抜き孔を有する筺状体を透水性を有するシートで覆ったものであって、雨水を地中に貯留、浸透させる機能を有するものである。
【００１８】
図２に示すように、本実施形態１に係るフィルターます１は、雨水貯留浸透槽１０８の上流側（図２の左側）に設けられている。ただし、フィルターます１の設置箇所は特に限定されず、例えば、排水器具１２０（図１参照）と排水ます１０３との間のます（図示省略）として、本実施形態に係るフィルターます１を用いることもできる。
【００１９】
以下、説明の便宜上、フィルターます１に接続された上流側の雨水排水管１０６を単に流入管１１（図２参照）と称し、フィルターます１と雨水貯留浸透槽１０８とを接続する雨水排水管１０６を単に流出管１２（図２参照）と称する。尚、流入管１１および流出管１２の材料は、特に限定されるものではない。流入管１１および流出管１２の材料としては、例えば、塩化ビニル樹脂やコンクリート等が挙げられる。
【００２０】
−フィルターます１の構造−
図３は、フィルター装置１０を備えたフィルターます１の縦断面図である。なお、図３では、表記の便宜上、フィルター装置１０および蓋５については断面表記せず、側面を表記している。
【００２１】
本実施形態では、フィルターます１は、有底筒状体からなるます本体２と、ます本体２内に設置されるバケット３と、ます本体２から上方に延びる点検用筒（立管ともいう）４と、点検用筒４の上部に取り付けられる蓋５と、フィルター装置１０とを備えている。
【００２２】
《ます本体２》
ます本体２は、上方に配置される本体部２ｘと、本体部２ｘの下方に配置される泥溜部２ｙとを備えている。
【００２３】
本体部２ｘの側部には、雨水を流入させる流入管１１が接続される流入口２ａと、雨水を流出させる流出管１２が接続される流出口２ｂとが形成されている。また、ます本体２の上部には、点検用筒４を接続させるための点検用受け口２ｃが形成されている。さらに、ます本体２の下部には、泥溜部２ｙを接続させるための接続筒部２ｄが形成されている。
【００２４】
本実施形態では、ます本体２は、側面の三方に流入管１１が接続される流入口２ａが形成され、残りの一方に流出管１２が接続される流出口２ｂが形成されている（図３、図４参照）。しかし、ます本体２の構成はこれに限られず、流入口２ａは１つであっても２つであってもよい。また、図４に示すように、ます本体２には、流出口２ｂを挟んで上下方向に延びる一対のスライド突起２ｅ，２ｅと、スライド突起２ｅ，２ｅに対向して上下方向に延びる一対の案内突起２ｆ，２ｆとが形成されている。案内突起２ｆ，２ｆは、スライド突起２ｅ，２ｅよりも短く、スライド突起２ｅ，２ｅの下方の部分に対向している。図４に示すように、スライド突起２ｅ，２ｅと案内突起２ｆ，２ｆとにより平面視コ字状の溝２ｇ，２ｇが形成されることとなる。
【００２５】
なお、点検用筒４は、フィルターます１内ないし流入管１１、流出管１２内の点検に用いられるのみならず、フィルターます１内ないし流入管１１、流出管１２内の清掃等、点検等の他の用途にも用いられるものであってもよい。また、本実施形態では、ます本体２と点検用筒４とが別体で構成されているが、一体に形成されたものであってもよい。
【００２６】
図３に示すように、泥溜部２ｙは有底円筒状に形成されている。泥溜部２ｙの上部には、ます本体２の接続筒部２ｄが接続される本体部受け口２ｈが形成されている。
【００２７】
《バケット３》
図５はバケット３の側面図であり、図６はバケット３の縦断面図である。バケット３は、ます本体２よりも径の小さい有底円筒状に形成されている（図３参照）。図５、図６に示すように、バケット３には、門形の把手６が形成されている。また、バケット３の上端部には、縦方向に延びる多数のスリット３ａが周方向に配置されている。バケット３には、フィルター装置１０が取り付けられている（図３参照）。
【００２８】
把手６は、バケット３の上部から上方に向かって延びる２本の支持部６ａと、支持部６ａの上端を連結する連結部６ｂとによって構成されている。連結部６ｂは、ます本体２の内壁に沿うように湾曲している。また、支持部６ａの外側面には縦溝（図示省略）が形成されている。当該縦溝部分をます本体２に形成された一対のスライド突起２ｅ，２ｅと係合させることにより、バケット３はます本体２内に固定される。
【００２９】
また、把手６の支持部６ａの内側面には、上下方向に延びる断面コ字状の凹型スライドレール６ｅ，６ｅが形成されている。凹型スライドレール６ｅ，６ｅは中央部分で途切れており、上方部分と下方部分とは略等しい長さに形成されている。凹型スライドレール６ｅ，６ｅは、連結部６ｂから少し間隔を空けたところに形成されている。
【００３０】
《フィルター装置１０》
図３に示すように、フィルター装置１０は、筒状のフィルター２１と、筒状のフィルター２１を支持する支持部材２２とを備えている。
【００３１】
図７（ａ）はフィルター２１の平面図であり、図７（ｂ）はフィルター２１の左半分を側面表記し、右半分を端面表記した図（すなわち、フィルター２１の断面における端面のみを表示し、その他の部分は輪郭のみを表示した図）である。本実施形態では、図７（ａ）、（ｂ）に示すように、フィルター２１は、略円筒形状の網状体によって形成された筒部２１ａによって構成されている。フィルター２１の筒部２１ａの上端および下端は開口している。本実施形態では、フィルター２１は流出管１２（図２、図３参照）の内径と略等しい内径（φ１００）となる様に形成されている。また、本実施形態では、フィルター２１は金属によって形成されている。ただし、フィルター２１を他の材料、例えば樹脂等によって形成することも可能である。
【００３２】
なお、ここで、筒状のフィルター２１は、本実施形態のような円筒形状のものに限られない。例えば、断面が多角形の筒状体でもよく、また、断面が長円形状の筒状体であってもよい。
【００３３】
図８（ａ）は支持部材２２の平面図であり、図８（ｂ）は支持部材２２の縦断面図である。図８（ａ）、（ｂ）に示すように、支持部材２２は、筒状のフィルター２１（図３参照）を支持するための胴部２２ａおよび底部２２ｂと、胴部２２ａの側面に形成された着脱部２２ｃとを有している。
【００３４】
図８（ｂ）に示すように、胴部２２ａは、筒状のフィルター２１の外径よりも大きい内径を有する円筒の一部を切り欠いた形状に形成されている。
【００３５】
図８（ａ）、（ｂ）に示すように、底部２２ｂは、複数の孔ｈを有しており、格子形状に形成されている。底部２２ｂには、上方に向かって突出する円環状の突起ｐが形成されている。突起ｐは、外径が胴部２２ａの内径よりも小さく、筒状のフィルター２１の内径よりも小さくなる様に形成されている。このような構成により、筒状のフィルター２１は、胴部２２ａの内側、かつ底部２２ｂの上方であって突起ｐの外側に載置されることにより、支持部材２２に装着され、支持されることとなる。
【００３６】
着脱部２２ｃは略筒状に形成され、胴部２２ａの側面から側方に突出している。また、着脱部２２ｃの突出端には、平面視において湾曲し、側面視において方形状のフランジ２２ｄが形成されている（図９参照）。
【００３７】
図９は、支持部材２２の側面図である。図９に示すように、フランジ２２ｄには、側面視において略円形状の開口部２２ｅが形成されている。開口部２２ｅは、その径がます本体２の流出口２ｂの径と略等しくなる様に形成されている。また、フランジ２２ｄの開口部２２ｅの外周には、開口部２２ｅと同心状のパッキン溝２２ｆが形成されている。ただし、このパッキン溝２２ｆは必ずしも必要ではなく、省略してもよい。さらに、フランジ２２ｄの両側面には上下方向に延びる上下一対の凸型スライドレール２２ｇ，２２ｇが形成されている。凸型スライドレール２２ｇ，２２ｇは、把手６の支持部６ａ内面に形成された凹型スライドレール６ｅ，６ｅと係合可能に形成されている。凸型スライドレール２２ｇ，２２ｇと、凹型スライドレール６ｅ，６ｅとが係合することにより、支持部材２２はバケット３に固定される。
【００３８】
−フィルター装置１０の装着手順−
以上がフィルターます１の構成である。次に、フィルターます１にフィルター装置１０を装着する際の手順について説明する。
【００３９】
まず、フィルター２１を支持部材２２の胴部２２ａの内側に挿入し、支持部材２２に取り付ける。このとき、フィルター２１を、支持部材２２の底部２２ｂの上方であって突起ｐの外側に載置する。これにより、フィルター２１の下端部は、底部２２ｂ上において、胴部２２ａと突起ｐとに挟まれて支持されることとなる。
【００４０】
次に、フィルター２１が取り付けられた支持部材２２をバケット３に取り付ける。具体的には、支持部材２２のフランジ２２ｄの凸型スライドレール２２ｇ，２２ｇと、バケット３の門形の把手６の凹型スライドレール６ｅ，６ｅとを係合させる。まず、支持部材２２のフランジ２２ｄを門形の把手６の内側に移動させて凸型スライドレール２２ｇ，２２ｇを、凹型スライドレール６ｅ，６ｅの上方の隙間および上方部分と下方部分との間にくる様に配置する。次に、フランジ２２ｄを下向きにスライドさせることにより、フランジ２２ｄの凸型スライドレール２２ｇ，２２ｇと、バケット３の門形の把手６の凹型スライドレール６ｅ，６ｅとを係合させていく。このようにして支持部材２２はバケット３に固定されることとなる。
【００４１】
フィルター２１が取り付けられた支持部材２２をバケット３に取り付けた後、バケット３をフィルターます１に取り付ける。具体的には、バケット３をフィルターます１の点検用筒４からます本体２に向かって下降させる。このとき、支持部６ａの外側面に形成された縦溝（図示省略）と、ます本体２に形成された一対のスライド突起２ｅ，２ｅとが係合する様に、バケット３を下降させる。このようにして、バケット３をます本体２内に固定する。なお、支持部材２２のフランジ２２ｄは平面視において湾曲形状に形成されており（図８（ａ）参照）、バケット３がます本体２内に固定されると、ます本体２の内壁面に当接する。
【００４２】
以上のようにして、フィルター装置１０は、図３に示すように、フィルターます１内に装着される。このとき、筒状のフィルター２１は、その上端が流出口２ｂの上端よりも上方に配置される。また、支持部材２２の底部２２ｂは、その下端が流出口２ｂの下端よりも下方に配置される。なお、本実施形態では、バケット３に取り付けられた把手６が、支持部材２２に支持された筒状のフィルター２１を流出口２ｂに取り付けるための取付部材に該当する。
【００４３】
−フィルター装置１０の作用−
次に、フィルターます１内でのフィルター装置１０の作用について説明する。
【００４４】
《通常時》
まず、通常時のフィルター装置１０の作用について図１０（ａ）を参照しながら説明する。
【００４５】
図１０（ａ）に示すように、流入管１１からフィルターます１内に流入してきた雨水は、ます本体２内に一時的に貯留される。なお、本実施形態では、フィルターます１はバケット３を備えているため、雨水はバケット３内に貯留される。バケット３内に貯留された雨水は、フィルター２１を通過し、筒状のフィルター２１内部に浸入する。そして、バケット３内の雨水の水位が所定水位（流出管１２の管底の位置）を超えると、流出管１２へ流出する。
【００４６】
ところで、流入管１１から流入する雨水には、枯葉等のゴミが混入していることがある。しかし、本フィルターます１は、フィルター装置１０を備えている。そのため、雨水がフィルター２１内部に浸入する際、雨水に混入していた枯葉等のゴミは網状体からなるフィルター２１によって濾されて、フィルター２１内部には入らない。これにより、雨水だけがフィルター２１内に浸入することとなり、ゴミはフィルター２１外に取り除かれることとなる。そして、フィルター２１内部に浸入した雨水は、フィルター２１の一部であって流出口２ｂを覆う流出部２１ｅを通過して流出口２ｂから排出される。このようにして、本フィルターます１では、雨水中のゴミを捕捉して、ゴミが下流側に流出することを防止することができる。
【００４７】
《目詰まり時》
次に、長期間の使用により、フィルター２１が目詰まりしてしまった場合のフィルター装置１０の作用について図１０（ｂ）を用いて説明する。
【００４８】
フィルター装置１０を取り換えずに長期間使用すると、フィルター２１は、捕捉したゴミによって徐々に目詰まりしていく。フィルター２１が目詰まりすると、目詰まり部分からは雨水を内部に浸入させることができなくなる。なお、フィルター２１は、最も雨水に接触する頻度が高い筒部２１ａの下側部分から徐々に目詰まりしていく。
【００４９】
ところで、本フィルター装置１０のフィルター２１は筒状に形成されて上方に長く延びており、その上端は流出口２ｂの上端よりも上方に配置されている。そのため、フィルター２１の下側部分が目詰まりしても、雨水は、フィルター２１の目詰まり部分の上方の目詰まりしていない部分からフィルター２１内部に浸入することができる。このようにして、フィルター２１の下側部分が目詰まりした場合であっても、フィルター２１を取り換えることなく、上方の目詰まりしていない部分から雨水を流入させることができる。
【００５０】
しかし、フィルター２１を交換せずに使用し続けると、やがて、目詰まりはフィルター２１略全体（流出部２１ｅを除く）に拡がる。ところが、フィルター２１の略全体（流出部２１ｅを除く）が目詰まりすると、フィルター２１内に雨水を流入させることができなくなる。フィルター２１内に流入できない雨水は、流出管１２から流出されることなく、バケット３内に溜まっていくこととなる。
【００５１】
しかしながら、本フィルター装置１０のフィルター２１の上端は開口している。そのため、万が一フィルター２１の略全体が目詰まりした場合であっても、雨水の水位ＷＬがフィルター２１の上端まで達すると、フィルター２１の上端の開口からフィルター２１内にオーバーフローさせることができる。言い換えると、フィルター２１の上端の開口から、雨水をフィルター２１の内側にバイパスさせることができる。そして、フィルター２１内にバイパスした雨水は、フィルター２１の一部であって流出口２ｂを覆う流出部２１ｅを通過して流出口２ｂから排出されることとなる。このようにして、本フィルター装置１０によれば、万が一フィルター２１が目詰まりして雨水を通過させることができなくなった場合であっても、フィルター２１上部からフィルター２１内に雨水をバイパスさせることにより、雨水を排出することができる。
【００５２】
−作用及び効果−
以上説明したように、本実施形態１に係るフィルター装置１０によれば、網状体によって形成された筒状のフィルター２１と、筒状のフィルター２１の下端を塞ぐ底部２２ｂを有する支持部材２２とを備えている。そのため、例えば、流入口２ａからゴミがフィルターます１内に流入した場合であっても、筒状のフィルター２１によってゴミを捕捉し、ゴミが流出口２ｂから流れ出ることを防止することができる。フィルター２１は筒状に形成されているので、設置スペースが限られたます本体２内に設置されているにもかかわらず、十分な表面積を確保することができる。
【００５３】
また、本フィルター装置１０のフィルター２１は、上端が流出口２ｂの上端よりも上方に配置される。そのため、本フィルター装置１０では、フィルター２１の表面積を大幅に増加させることができる。これにより、例えば、フィルター２１の筒部２１ａの下側部分が目詰まりして雨水を通さないために雨水の水位が上がっても、上側部分においてゴミを捕捉すると共に雨水を流出口２ｂ側へ流すことが可能となる。これにより、ゴミの最大捕捉量を大幅に増加させることができる。したがって、本フィルター装置１０によれば、従来頻繁に行っていたフィルター２１のメンテナンスの頻度を下げることができる。
【００５４】
ところで、本フィルター装置１０のフィルター２１は、捕捉したゴミによって、下側から目詰まりを起こすと考えられる。目詰まりは時間の経過に伴って徐々に上側に至り、最後にはフィルター２１の略全体（流出部２１ｅを除く）を覆うと考えられる。そして、フィルター２１の略全体が目詰まりしてしまった場合、フィルター２１の上端が閉塞されていると、流出口２ｂを塞いでしまうこととなり、雨水を流出口２ｂ側へ流せなくなる。そのため、そのような場合、特に、増水時には、雨水がフィルターます１内から溢れだしてしまうおそれがある。
【００５５】
しかしながら、本フィルター装置１０の筒状のフィルター２１の上端は開口している。そのため、万が一フィルター２１の略全体が目詰まりした場合であっても、雨水を筒状のフィルター２１の上端の開口部分からフィルター２１内部に導くことができ、流出口２ｂから排出することができる。したがって、本フィルター装置１０によれば、フィルター２１の略全体に目詰まりが生じた場合であっても、雨水が流出口２ｂから排出できないためにフィルターます１内から溢れ出ることを防止することができる。
【００５６】
また、本フィルター装置１０のフィルター２１は、流出口２ｂを覆う流出部２１ｅを有している。そのため、流入口２ａからフィルターます１内に流入した雨水は、まず筒状のフィルター２１の流出部２１ｅ以外の部分を通過してフィルター２１内部に入った後、流出部２１ｅを通過して流出口２ｂに流れ出る。これにより、流入口２ａからフィルターます１内に流入した雨水は、流出口２ｂから排出されるまでの間に、フィルター２１を２度通過することとなる。したがって、本フィルター装置１０によれば、流出口２ｂを２重に覆うことになり、ゴミ捕捉能力を向上させることができる。
【００５７】
さらに、本フィルター装置１０では、フィルター２１は支持部材２２に着脱自在に形成され、支持部材２２は取付部材としての把手６に着脱自在に形成されている。そのため、本フィルター装置１０によれば、点検作業やメンテナンス作業を容易に行うことができる。
【００５８】
本フィルター装置１０では、支持部材２２の底部２２ｂは、複数の孔ｈを有している。このことにより、支持部材２２の一部である底部２２ｂにフィルター機能を持たせることができる。これにより、フィルター面積をより拡大することができる。また、支持部材２２をこのように形成することにより、底部をフィルター２１によって形成しなくてもよいため、フィルター２１の形状を簡単化することができる。そのため、フィルター２１を容易に形成することができる。また、フィルター２１内部にゴミが入った場合、フィルター２１を支持部材２２から取り外すことにより、底部２２ｂ上に溜まったゴミを容易に取り出すことができる。これにより、メンテナンス作業を容易化することもできる。
【００５９】
また、本フィルター装置１０では、支持部材２２の底部２２ｂは、流出口２ｂの下端よりも下方に配置されている。このことにより、フィルター２１内部にゴミが入ってしまった場合であっても、底部２２ｂが流出口２ｂの下端よりも下方に配置されるため、内部のゴミによって雨水の流れが阻害されることを抑制することができる。
【００６０】
また、本実施形態では、筒状のフィルター２１は、流出口２ｂに接続される流出管１２の内径と略等しい内径に形成されている。このことにより、筒状のフィルター２１内に流入した雨水を円滑に流出管１２に導くことができる。そのため、増水時であっても、雨水を流出管１２に円滑に排出することができる。したがって、雨水が流出口２ｂから円滑に排出されないためにフィルターます１内から溢れ出ることを抑制することができる。
【００６１】
本フィルターます１は、フィルター装置１０を備えている。そのため、雨水に混入したゴミを捕捉することができる。また、フィルター装置１０は表面積の大きな筒状のフィルター２１を備えているため、従来のものに比べメンテナンスの頻度を低くすることができる。
【００６２】
また、本実施形態では、フィルターます１は、把手６を有し、ます本体２に設置される有底筒形体からなるバケット３を備えている。そして、フィルター装置１０は、当該バケット３に取り付けられている。そのため、本フィルターます１によれば、バケット３を取り付けることによりフィルター装置１０をフィルターます１内に簡単に取り付けることができる。また、バケット３には把手６が設けられている。そのため、バケット３を容易に取り出すことが可能となる。これにより、フィルター２１によって捕捉された雨水中のゴミは、バケット３内に堆積することとなるが、バケット３内のゴミを容易に取り除くことができる。
【００６３】
また、フィルター装置１０はバケット３に取り付けられているため、バケット３を取り出す際に、フィルター装置１０も取り出すことができる。これにより、バケット３内のゴミを取り除く際に、フィルター装置１０の交換作業や掃除等を行うことができる。したがって、本フィルターます１によれば、メンテナンス作業を容易化することができる。
【００６４】
（実施形態２）
図１１は本実施形態２に係るフィルター装置１０Ａを備えたフィルターます１Ａの縦断面図である。実施形態２に係るフィルターます１Ａは、実施形態１に係るフィルターます１のフィルター装置１０を、フィルター装置１０Ａに変更したものである。ます本体２、バケット３、点検用筒４、蓋５については実施形態１と同様である。そのため、以下ではフィルター装置１０Ａについてのみ説明し、ます本体２、バケット３、点検用筒４、蓋５については説明を省略する。
【００６５】
《フィルター装置１０Ａ》
図１１に示すように、フィルター装置１０Ａは、有底筒形状のフィルター２１Ａと、有底筒形状のフィルター２１Ａを支持する支持部材２２Ａとを備えている。
【００６６】
図１２（ａ）はフィルター２１Ａの平面図であり、図１２（ｂ）はフィルター２１Ａの左半分を側面表記し、右半分を端面表記した図である。本実施形態では、図１２（ａ）、（ｂ）に示すように、フィルター２１Ａは、網状体によって形成されており、円筒形状の筒部２１Ａａと底部２１Ａｂとを有する有底円筒形状に形成されている。フィルター２１Ａの上端は開口している。また、フィルター２１Ａの上下方向中央部には、円環状の径止リング２１Ａｃが外嵌されている。さらに、フィルター２１Ａの上端部には、棒状体が直径方向に架け渡されてなる把手２１Ａｄが取り付けられている。本実施形態では、フィルター２１Ａは流出管１２（図２、図１１参照）の内径と略等しい内径（φ１００）となる様に形成されている。また、本実施形態では、フィルター２１Ａは金属によって形成されている。
【００６７】
なお、ここで、有底筒形状のフィルター２１Ａは、本実施形態のような円筒形状のものに限られない。例えば、断面が多角形の筒状体でもよく、また、断面が長円形状の筒状体であってもよい。また、把手２１Ａｄは、本実施形態のものに限られず、いかなるものであってもよい。
【００６８】
図１３（ａ）は支持部材２２Ａの平面図であり、図１３（ｂ）は支持部材２２Ａの縦断面図である。図１３（ａ）、（ｂ）に示すように、支持部材２２Ａは、有底筒形状のフィルター２１Ａ（図１１参照）を支持するための胴部２２Ａａと、胴部２２Ａａの側面に形成された着脱部２２Ａｃとを有している。
【００６９】
図１３（ｂ）に示すように、胴部２２Ａａは、有底筒形状のフィルター２１Ａの外径よりも大きい内径を有する円筒の一部を切り欠いた形状に形成されている。
【００７０】
なお、フィルター２１Ａに外嵌された径止リング２１Ａｃ（図１２（ｂ）参照）は、その外径が胴部２２Ａａの内径よりも大きくなる様に形成されている。このような構成により、有底筒形状のフィルター２１Ａを、上方から胴部２２ａの内側に下方に向かって挿入すると、径止リング２１Ａｃが胴部２２Ａａの上端部にひっかかり、それ以上フィルター２１Ａが挿入されない様に規制する。このようにして、フィルター２１Ａは、支持部材２２Ａに装着され、支持されることとなる。
【００７１】
着脱部２２Ａｃは略筒状に形成され、胴部２２Ａａの側面から側方に突出している。また、着脱部２２Ａｃの突出端には、平面視において湾曲し、側面視において方形状のフランジ２２Ａｄが形成されている。
【００７２】
フランジ２２Ａｄは、実施形態１に係るフランジ２２ｄと同様に構成されている。フランジ２２Ａｄには、側面視において略円形状の開口部２２ｅが形成されている。開口部２２ｅは、その径がます本体２の流出口２ｂの径と略等しくなる様に形成されている。また、フランジ２２Ａｄの開口部２２ｅの外周には、開口部２２ｅと同心状のパッキン溝２２ｆが形成されている。さらに、フランジ２２Ａｄの両側面には上下方向に延びる上下一対の凸型スライドレール２２ｇ，２２ｇが形成されている。凸型スライドレール２２ｇ，２２ｇは、把手６の支持部６ａ内面に形成された凹型スライドレール６ｅ，６ｅと係合可能に形成されている。凸型スライドレール２２ｇ，２２ｇと、凹型スライドレール６ｅ，６ｅとが係合することにより、支持部材２２Ａはバケット３に固定される。
【００７３】
次に、フィルターます１Ａにフィルター装置１０Ａを装着する際の手順について説明する。
【００７４】
まず、フィルター２１Ａを支持部材２２Ａの胴部２２Ａａの内側に挿入し、支持部材２２Ａに取り付ける。このとき、フィルター２１Ａを、径止リング２１Ａｃが胴部２２Ａａの上端部に当接するまで胴部２２Ａａ内に挿入する。これにより、フィルター２１Ａは、支持部材２２Ａに支持されることとなる。
【００７５】
次に、フィルター２１Ａが取り付けられた支持部材２２Ａをバケット３に取り付ける。具体的には、支持部材２２Ａのフランジ２２Ａｄの凸型スライドレール２２ｇ，２２ｇと、バケット３の門形の把手６の凹型スライドレール６ｅ，６ｅとを係合させる。具体的な手順については実施形態１と同様であるため説明を省略する。
【００７６】
そして、フィルター２１Ａが取り付けられた支持部材２２Ａをバケット３に取り付けた後、バケット３をフィルターます１Ａに取り付ける。具体的な手順については実施形態１と同様であるため説明を省略する。
【００７７】
以上のようにして、フィルター装置１０Ａは、図１１に示すように、フィルターます１Ａ内に装着される。このとき、有底筒形状のフィルター２１Ａは、その上端が流出口２ｂの上端よりも上方に配置される。また、フィルター２１Ａの底部２１Ａｂは、その下端が流出口２ｂの下端よりも下方に配置される。なお、本実施形態においても、バケット３に取り付けられた把手６が、支持部材２２に支持された筒状のフィルター２１を流出口２ｂに取り付けるための取付部材に該当する。
【００７８】
なお、フィルターます１Ａ内でのフィルター装置１０Ａの作用については、実施形態１に係るフィルター装置１０の作用とほぼ同様である。実施形態２に係るフィルター装置１０Ａは、底部２２ｂが支持部材２２の一部として構成されていた実施形態１のフィルター装置１０と、底部２１Ａｂがフィルター２１の一部として構成されている点において異なっている。但し、このように底部が支持部材２２に設けられるかフィルター２１Ａに設けられるかによってその質においては相違しても、それぞれのフィルター装置１０，１０Ａの底部２２ｂ，２１Ａｂが共にフィルター機能を発するという点において共通していることは言うまでもない。
【００７９】
−作用及び効果−
以上説明したように、本実施形態２に係るフィルター装置１０Ａによっても、例えば、流入口２ａからゴミがフィルターます１Ａ内に流入した場合に、有底筒形状のフィルター２１Ａによってゴミを捕捉し、ゴミが流出口２ｂから流れ出ることを防止することができる。また、本フィルター装置１０Ａにおいても、フィルター２１Ａの表面積を大幅に増加させることができるため、ゴミの最大捕捉量を大幅に増加させることができる。したがって、本フィルター装置１０Ａによっても、従来頻繁に行っていたフィルター２１Ａのメンテナンスの頻度を下げることができる。
【００８０】
また、本実施形態２に係るフィルター装置１０Ａおよびそれを備えたフィルターます１Ａによっても、実施形態１のフィルター装置１０およびそれを備えたフィルターます１Ａと同様の効果を奏することができる。
【００８１】
なお、本実施形態では、フィルター２１Ａに径止リング２１Ａｃ（図１２（ｂ）参照）を外嵌し、径止リング２１Ａｃを胴部２２Ａａの上端部にひっかけることにより、フィルター２１Ａを支持部材２２Ａに装着し、支持することとしていた。しかしながら、フィルター２１Ａに径止リング２１Ａｃを設けず、支持部材２２Ａの胴部２２Ａａの下端部に内側に向かって突出するフランジ部を設け、当該フランジ部によってフィルター２１Ａの下端部を支持することとしてもよい。
【００８２】
（変形例１）
上記各実施形態では、フィルター２１，２１Ａの上端は開口していた。しかしながら、ここで提案されるフィルターは、図１４（ａ）、（ｂ）に示すように、筒部２１ａ，２１Ａａ、底部２１Ａｂの他に、上端を塞ぐ蓋部２１ｆ，２１Ａｆを備えたものであってもよい。なお、本変形例１では、蓋部２１ｆ，２１Ａｆは上方に向かって膨らむドーム状に形成されているが、蓋部２１ｆ，２１Ａｆは平面状に形成されていてもよい。また、筒部２１ａ，２１Ａａの上端は蓋部２１ｆ，２１Ａｆによって塞がれている代わりに、筒部２１ａ，２１Ａａの側面には、開口部２１ｈ，２１Ａｈが形成されている。なお、開口部２１ｈ，２１Ａｈは、ます本体２に形成された流出口２ｂよりも上側に位置するように形成されている。
【００８３】
このようなフィルター２１，２１Ａを用いた場合であっても、上記各実施形態と同様の効果を奏することができる。また、フィルター２１，２１Ａの略全体が目詰まりした場合に、開口部２１ｈ，２１Ａｈから雨水をフィルター２１，２１Ａ内部に導き、流出口２ｂから排出することができる。したがって、このようなフィルター２１，２１Ａを用いたフィルター装置１０，１０Ａによれば、フィルター２１，２１Ａの略全体に目詰まりが生じた場合であっても、雨水が流出口２ｂから排出できないためにフィルターます１内から溢れ出ることを防止することができる。
【００８４】
また、上記フィルター装置１０，１０Ａは蓋部２１ｆ，２１Ａｆを備えている。そのため、フィルターます１の上端部の開口から枯葉等のゴミが内部に流入した場合に、フィルター２１，２１Ａの内部に当該ゴミが入ることを防止することができる。
【００８５】
（変形例２）
図１５（ａ），（ｂ）に示すように、変形例２に係るフィルター装置１０，１０Ａは、変形例１における開口部２１ｈ，２１Ａｈを、他の部分よりも目の粗い網状体によって形成された流通部２１ｇ，２１Ａｇとしたものである。
【００８６】
本変形例２に係るフィルター装置１０，１０Ａによれば、他の部分よりも目の粗い流通部２１ｇ，２１Ａｇは目詰まりし難い。そのため、フィルター２１，２１Ａの略全体が目詰まりした場合であっても、流通部２１ｇ，２１Ａｇから雨水をフィルター２１，２１Ａ内部に導くことができる。したがって、このようなフィルター２１，２１Ａを用いたフィルター装置１０，１０Ａによれば、フィルター２１，２１Ａの略全体に目詰まりが生じた場合であっても、雨水が流出口２ｂから排出できないためにフィルターます１内から溢れ出ることを防止することができる。
【００８７】
また、本変形例２に係るフィルター装置１０，１０Ａも、変形例１と同様に蓋部２１ｆ，２１Ａｆを備えている。そのため、フィルターます１の上端部の開口から枯葉等のゴミが内部に流入した場合に、フィルター２１，２１Ａの内部に当該ゴミが入ることを防止することができる。
【００８８】
（変形例３）
図１６（ａ），（ｂ）に示すように、変形例３に係るフィルター装置１０Ａは、実施形態２および変形例１（図示を省略するが変形例２も同様）のフィルター装置１０Ａのフィルター２１Ａに変更を加え、支持部材２２Ａを用いなくとも流出口２ｂに取り付け可能としたものである。なお、図１６（ａ）に示すフィルター装置１０Ａは、実施形態２に係るフィルター装置１０Ａのフィルター２１Ａを変形したものであり、図１６（ｂ）に示すフィルター装置１０Ａは、変形例１（図示を省略するが変形例２も同様）に係るフィルター装置１０Ａのフィルター２１Ａを変形したものである。
【００８９】
変形例３に係るフィルター装置１０Ａのフィルター２１Ａの側部には、筒状の差込部２１Ａｉが形成されている。差込部２１Ａｉは、流出口２ｂに差し込み可能に形成されている。具体的には、その外径が流出管１２の内径と略等しくまたは僅かに小さくなる様に形成されている。変形例３に係るフィルター装置１０Ａによれば、当該差込部２１Ａｉを流出口２ｂに挿入することにより、フィルター２１Ａを直接流出口２ｂに取り付けることができる。
【００９０】
このようなフィルター装置１０Ａによれば、支持部材なしにフィルター２１Ａを流出口２ｂに取り付けることができる。そのため、部品点数を削減することができる。また、フィルター２１Ａを簡単な作業により着脱することができる。これにより、点検作業やメンテナンス作業を容易化することができる。
【００９１】
なお、差込部２１Ａｉは単に流出口２ｂに差し込むことにより固定されるものでもよく、また、係合部等を設けて流出管１２等と係合させることによって固定されるものであってもよい。
【００９２】
（変形例４）
また、実施形態１、２では、取付部材としての機能を有する把手６が形成されたバケット３を用いてフィルター２１，２１Ａおよび支持部材２２，２２Ａをフィルターます１，１Ａに取り付けることとしていた。しかし、図１７（ａ）、（ｂ）に示すように、バケット３を用いずに、フィルターます１，１Ａのます本体２に、実施形態１、２における把手６の凹型スライドレール６ｅ，６ｅと同様の凹型スライドレール２６ｅ，２６ｅを形成して取り付けることとしてもよい。
【００９３】
具体的には、支持部材２２，２２Ａのフランジ２２ｄ，２２Ａｄの凸型スライドレール２２ｇ，２２ｇと、ます本体２の凹型スライドレール２６ｅ，２６ｅとを係合させることにより取り付ける。このような場合であっても、フィルター２１，２１Ａを流出口２ｂに取り付けることができ、実施形態１、２と同様の効果を奏することができる。なお、図１７（ａ）、（ｂ）では、図示の便宜上、凹型スライドレール２６ｅ，２６ｅを、凸型スライドレール２２ｇ，２２ｇよりも大きく示しているが、凹型スライドレール２６ｅ，２６ｅと凸型スライドレール２２ｇ，２２ｇとは係合可能な様に略等しい大きさに形成されているものとする。
【００９４】
（変形例５）
図１８（ａ）、（ｂ）に示すように、変形例５に係るフィルター装置１０，１０Ａでは、フィルター２１，２１Ａは比較的目の粗いフィルター２１ｘ，２１Ａｘと、フィルター２１ｘ，２１Ａｘよりも目の細かいフィルター２１ｙ，２１Ａｙとにより構成されている。フィルター２１ｘ，２１Ａｘは、フィルター２１ｙ，２１Ａｙの上方に形成されている。実施形態１、２に係るフィルター装置１０，１０Ａのフィルター２１は、変形例５のようなものであってもよい。なお、フィルター２１，２１Ａは、フィルター２１ｘ，２１Ａｘが流出口２ｂの上端よりも上方に位置する様に取り付けられることが好ましい。
【００９５】
このようなフィルター装置１０，１０Ａであっても、フィルター２１，２１Ａの表面積を従来のものより大幅に増加させることができる。そのため、例えば、フィルター２１，２１Ａの下側部分のフィルター２１ｙ，２１Ａｙが目詰まりして雨水を通さないために雨水の水位が上がっても、上側のフィルター２１ｘ，２１Ａｘにおいてゴミを捕捉すると共に雨水を流出口２ｂ側へ流すことが可能となる。これにより、ゴミの最大捕捉量を大幅に増加させることができる。したがって、本フィルター装置１０，１０Ａによっても、従来頻繁に行っていたメンテナンスの頻度を下げることができる。
【００９６】
なお、図示を省略するが、フィルター２１，２１Ａは、上側のフィルター２１ｘ，２１Ａｘの上端を塞ぐ蓋部２１ｆ，２１Ａｆ（図１４（ａ）、（ｂ）参照）を備えたものであってもよい。このような場合、目の細かい下方のフィルター２１ｙ，２１Ａｙが目詰まりしても、目の粗い上方のフィルター２１ｘ，２１Ａｘから雨水を流出口２ｂに向かって流すことができる。そのため、雨水が流出口２ｂから排出できないためにフィルターます１，１Ａ内から溢れ出ることを防止することができる。
【００９７】
（変形例６）
図１９に示すように、変形例６に係るフィルター装置１０は、エルボ状の筒型に形成されたフィルター２１によって構成されたものである。フィルター２１は、フィルターます内に立設される胴部２１ａと、胴部２１ａの下側部分から横方向に曲がった差し込み部２１ｂとを備えている。フィルター２１の胴部２１ａの上側には、ドーム状の蓋部２１ｆが設けられている。差し込み部２１ｂは、ます本体２の流出口２ｂ（または、ます本体２の流出口２ｂおよび流出管１２）に差し込まれる部分である。差し込み部２１ｂの先端側には、開口２１ｃが形成されている。
【００９８】
フィルター２１は、金属製の網状体で形成されている。なお、図１９では、蓋部２１ｆ、胴部２１ａの一部、および差し込み部２１ｂの一部のみを網状に図示しており、その他の部分については輪郭のみを図示している。
【００９９】
本変形例に係るフィルター２１も、支持部材を用いなくても、ます本体の流出口２ｂに取り付けることが可能である。したがって、部品点数を削減することができる。また、フィルター２１を簡単な作業で着脱することができる。
【０１００】
なお、変形例６に係るフィルター２１は、胴部２１ａと差し込み部２１ｂとを備えていればよく、その具体的形状は上記形状に限定されない。図１９に示すフィルター２１は、単一の筒状体を中途部分で折り曲げたような形状に形成されているが、フィルター２１の形状は他の形状であってもよい。例えば、縦方向に延びる筒状の胴部２１ａの側面に穴を開け、横方向に延びる筒状の差し込み部２１ｂを上記穴に挿入したような形状であってもよい。
【０１０１】
なお、上記各実施形態および各変形例において、フィルター２１，２１Ａは金属製であった。しかし、フィルター２１，２１Ａの素材は金属に限定されない。例えば、樹脂等であってもよい。この場合であっても、上記各効果を奏することができることは勿論である。また、フィルターます１，１Ａは樹脂製でもよく、コンクリート製のものでもよい。さらに、上述した支持部材２２，２２Ａはあくまでも支持部材の一例であって、その形態に限られない。支持部材２２，２２Ａは、フィルター２１，２１Ａを支持し、取付部材またはフィルターます１，１Ａに取り付けられるものであればいかなる形態であってもよい。
【０１０２】
また、上記各実施形態および各変形例において、フィルターます１，１Ａはそれぞれ雨水を集めるものとして説明していた。しかし、フィルター装置１０，１０Ａを備えたフィルターます１，１Ａは雨水を集めるものに限られない。例えば、家屋１００（図１参照）から排出された雑排水を集水する排水ます１０３や公共ます１０７（図１参照）の代わりに、ここで提案されるフィルターます１，１Ａを用いてもよい。この場合、フィルターます１，１Ａによって雑排水中のゴミを捕捉することができる。そのため、排水管１０５の詰まり等を抑制することができる。
【０１０３】
上記各実施形態および各変形例では、フィルター部材として網状体を用いていた。しかし、フィルター部材は、雨水や雑排水を通過させる一方、それらに含まれるゴミを通過させないような部材であればよく、例えば、多孔質体、穴あき板（パンチングメタル等）等の他の部材であってもよい。
【０１０４】
また、上記各実施形態、変形例１、２、４、および５では、支持部材２２，２２Ａとバケット３とは別体であり、フィルター装置１０，１０Ａの装着の際に、互いに組み立てられるものである。しかし、支持部材２２，２２Ａとバケット３とは、一体的に形成されていてもよい。すなわち、支持部材２２，２２Ａとバケット３とは、単一の部材であってもよい。例えば、支持部材２２，２２Ａとバケット３とは、一体成形されていてもよい。このように支持部材２２，２２Ａとバケット３とを一体的に形成することとすれば、それらを一体的に取り扱うことが可能となり、清掃等の際に支持部材２２，２２Ａをバケット３に取り付ける工程が不要となるので、清掃等の作業がより簡単になる。
【０１０５】
上記各実施形態では、容器としてバケット３を用いたものであった。しかし、ここで提案される容器は、バスケット等の他の容器であってもよい。すなわち、ここで提案される容器は、ゴミを溜めることができるものであればよく、その一部に孔等が形成されていてもよい。
【０１０６】
以上のとおり、ここで提案されるフィルター装置は、雨水または雑排水からなる排水を流入させる流入管が接続される流入口と、前記排水を流出させる流出管が接続される流出口とを有するます内に配置されるフィルター装置であって、前記排水を通過させるフィルター部材によって形成され、少なくとも一部が前記流入口と前記流出口との間を仕切るとともに、少なくとも一部が前記ます内に立設される略筒状のフィルター本体部と、前記フィルター本体部の下端を塞ぐ底部と、を備え、前記フィルター本体部の上端は、前記流出口の上端よりも上方に位置しているものである。
【０１０７】
ここで、「フィルター部材」には、例えば、金属製メッシュや樹脂製メッシュなどの網状体、多孔質体、パンチングメタルなどの穴あき板等が含まれる。「フィルター本体部の下端を塞ぐ」とは、フィルター本体部の下端を水密状態に塞ぐ場合と、排水が通過可能な状態に塞ぐ場合の両方が含まれる。
【０１０８】
上記フィルター装置によれば、例えば、ゴミが混入した排水（すなわち、雨水または雑排水）が流入口からます内に流入した場合であっても、このゴミはフィルター本体部によって捕捉されるので、流出口から流出することが防止される。上記フィルター装置によれば、フィルター本体部の少なくとも一部は、略筒状に形成されている。そのため、設置スペースの限られたますの内部に配置されているにもかかわらず、従来技術（椀型のフィルター）に比べて、フィルター本体部の表面積を大きく確保することができる。また、フィルター本体部の少なくとも一部は略筒状に形成されているので、ほぼ全周囲から排水を通過させることができる。そのため、フィルター本体部の一部に目詰まりが生じても、ますの内外を流れる排水の流れを特に阻害することなく、フィルター本体部の他の部分においてゴミを除去することが可能となる。したがって、従来頻繁に行っていたメンテナンスの頻度を少なくすることができる。
【０１０９】
さらに、上記フィルター装置によれば、フィルター本体部の上端が流出口の上端よりも上方に配置されている。そのため、長期間の使用によってフィルター本体部の一部に目詰まりが生じたとしても、目詰まり部分はフィルター本体部の下側から上側に移行していくだけであり、フィルター本体部の上側部分に、目詰まりの生じていない部分を確保することができる。このように、上記フィルター装置によれば、フィルター本体部の少なくとも一部を略筒状に形成してますの内部に立設することとしたので、長期間の使用後であっても目詰まりを生じない部分を確保することができる。したがって、従来頻繁に行っていたメンテナンスの頻度をさらに少なくすることが可能となる。
【０１１０】
フィルター本体部の上端は開口していることが好ましい。
【０１１１】
上記フィルター装置のフィルター本体部は、捕捉したゴミによって、下側から目詰まりを起こすと考えられる。目詰まりは時間の経過に伴って徐々に上側に至り、もしも適切にメンテナンスが行われないと、最終的にはフィルター本体部の略全体を覆うと考えられる。そのため、目詰まりが予想以上に早く進行したり、メンテナンスをし忘れてしまったりすると、フィルターの略全体が目詰まりする場合があり、フィルターの上端が閉塞されていると、増水時に排水がますから溢れだしてしまうおそれがある。
【０１１２】
しかしながら、フィルター本体部の上端が開口していると、万が一フィルター本体部の全体が目詰まりした場合であっても、フィルター本体部の上端の開口部分から排水をフィルター本体部の内側にバイパスさせることができ、当該排水を流出口からますの外部に排出することができる。したがって、上記フィルター装置によれば、万が一フィルター本体部の全体に目詰まりが生じた場合であっても、排水がます内から溢れ出ることを防止することができる。
【０１１３】
前記フィルター装置は、前記フィルター本体部の上端の開口を塞ぐ蓋部をさらに備え、前記フィルター本体部は、前記ますの流出口よりも上側に開口部または他の部分よりも目の粗い流通部を有していてもよい。
【０１１４】
ここで、「フィルター本体部の上端の開口を塞ぐ蓋部」は、排水を通過不能なものであってもよく、通過可能なものであってもよい。
【０１１５】
上記フィルター装置によれば、フィルター本体部の上端の開口を塞ぐ蓋部を備えているため、設置時またはメンテナンス時等において、ます内に上方から枯葉等のゴミが落下した場合に、そのゴミがフィルター本体部内に入り込むことを防止することができる。また、上記フィルター装置によれば、フィルター本体部の略全体が目詰まりした場合であっても、排水をフィルター本体部の開口部または流通部からますの流出口へと導くことができる。したがって、上記フィルター装置によれば、フィルター本体部の略全体に目詰まりが生じた場合であっても、排水がます内から溢れ出ることを防止することができる。
【０１１６】
前記フィルター本体部の側部の一部は、前記ますの流出口を覆い、前記フィルター本体部の内側から外側に向かって排水を通過させる流出部を形成していることが好ましい。
【０１１７】
上記フィルター装置によれば、流入口からます内に流入した排水は、まずフィルター本体部の流出部以外の部分を通過してフィルター本体部の外側から内側に入った後、流出部を通過することによってフィルター本体部の内側から外側に移動して、ますの流出口から流れ出る。これにより、排水は、フィルター本体部を２度通過することとなる。したがって、上記フィルター装置によれば、流出口を２重に覆うことになり、ゴミ捕捉能力を向上させることができる。
【０１１８】
前記フィルター装置は、前記流出口が前記フィルター本体部の一部によって覆われるように前記フィルター本体部を前記ます内に着脱自在に支持する支持部材をさらに備えていてもよい。
【０１１９】
上記フィルター装置によれば、フィルター本体部は支持部材に着脱自在であるので、点検作業やメンテナンス作業を容易に行うことができる。
【０１２０】
また、前記フィルター本体部の下端は開放され、前記フィルター装置は、前記底部としてフィルター部材からなる底部を有し、前記フィルター本体部の下端を前記底部で塞ぐとともに前記フィルター本体部を着脱自在に支持する支持部材をさらに備えていてもよい。
【０１２１】
上記フィルター装置によれば、フィルター本体部は支持部材に着脱自在であるので、点検作業やメンテナンス作業を容易に行うことができる。また、支持部材の底部はフィルター部材によって形成されているので、フィルター本体部の下端が開放されているにもかかわらず、排水中のゴミがフィルター本体部の下端からフィルター本体部の内側に流入することが防止される。また、上記フィルター装置によれば、フィルター本体部の形状を簡単化することができ、フィルター本体部を比較的容易に形成することができる。また、フィルター本体部の内側にゴミが入った場合、フィルター本体部を支持部材から取り外すことにより、支持部材の底部上に溜まったゴミを容易に取り出すことができる。これにより、メンテナンス作業を容易化することができる。
【０１２２】
前記フィルター本体部の側部には、前記流出口に差し込み可能な差込部が形成され、前記フィルター本体部は、前記差込部が前記流出口に差し込まれることによって前記ますに取り付けられるものであってもよい。
【０１２３】
上記フィルター装置によれば、支持部材なしにフィルター本体部を流出口に取り付けることができるため、部品点数を削減することができる。また、差込部を流出口に差し込むという簡単な作業により、フィルター本体部を着脱することができる。これにより、点検作業やメンテナンス作業を容易化することができる。
【０１２４】
前記フィルター本体部および前記底部は、一体的に形成されたフィルター部材からなるエルボ状の略筒体であり、前記略筒体の一部が前記流出口に差し込まれることによって前記ますに取り付けられるものであってもよい。
【０１２５】
上記フィルター装置においても、支持部材なしにフィルター本体部を流出口に取り付けることができるため、部品点数を削減することができる。また、差込部を流出口に差し込むという簡単な作業により、フィルター本体部を着脱することができる。これにより、点検作業やメンテナンス作業を容易化することができる。
【０１２６】
前記底部は、前記流出口の下端よりも下方に位置していることが好ましい。
【０１２７】
このことにより、フィルター本体部の内側に比重の大きなゴミが入ってしまった場合であっても、そのゴミは流出口よりも下方に溜まるので、流出口を通る排水の流れが阻害されることを抑制することができる。
【０１２８】
また、フィルターますは、雨水または雑排水からなる排水を流入させる流入管が接続される流入口と、前記排水を流出させる流出管が接続される流出口とが形成され、略有底筒状体に形成されたますと、前記フィルター装置とを備えたものである。
【０１２９】
上記フィルターますによれば、フィルター装置を備えているため、雨水または雑排水に混入したゴミを捕捉することができる。また、従来のものに比べメンテナンスの頻度を少なくすることができる。
【０１３０】
前記フィルターますは、有底筒状体からなり、把手を有し、前記ます内に上方から抜き差しされる容器をさらに備え、前記フィルター装置は前記容器に取り付けられていることが好ましい。
【０１３１】
上記フィルターますによれば、フィルター装置は上記容器に取り付けられているため、上記容器をます内に上方から挿入することによって、フィルター装置をます内に簡単に取り付けることができる。また、上記容器には把手が設けられている。そのため、上記容器を容易に取り出すことが可能となる。これにより、メンテナンス作業の容易化を図ることができる。また、フィルター装置によって除去されて容器内に堆積したゴミを、容器と共にます外に容易に取り出すことができる。
【０１３２】
また、他のフィルターますは、雨水または雑排水からなる排水を流入させる流入管が接続される流入口と、前記排水を流出させる流出管が接続される流出口とが形成され、略有底筒状体に形成されたますと、前記支持部材を有するフィルター装置と、を備えたフィルターますであって、有底筒状体からなり、把手を有し、前記ます内に上方から抜き差しされる容器をさらに備え、前記支持部材は、前記容器に一体的に形成されているものである。
【０１３３】
上記フィルターますにおいても、フィルター装置を備えているため、雨水または雑排水に混入したゴミを捕捉することができる。また、従来のものに比べメンテナンスの頻度を少なくすることができる。さらに、支持部材と容器とが一体化されているので、フィルター装置の設置の際に支持部材を容器に取り付ける工程が不要となり、設置作業およびメンテナンス作業が容易になる。
【０１３４】
以上のように、ここで提案される、ます内に配置されるフィルター装置およびそれを備えたフィルターますに関し、メンテナンスの頻度を少なくすることができる。
【産業上の利用可能性】
【０１３５】
以上説明したように、ここで提案される発明は、ます内に配置されるフィルター装置およびそれを備えたフィルターますについて有用である。
【符号の説明】
【０１３６】
１        フィルターます
１Ａ      フィルターます
２        ます本体
２ａ      流入口
２ｂ      流出口
３        バケット（容器）
６        把手
１０        フィルター装置
１０Ａ      フィルター装置
１１        流入管
１２        流出管
２１        フィルター（フィルター本体部）
２１ｅ      流出部
２１ｆ      蓋部
２１ｇ      流通部
２１ｈ      開口部
２１Ａ      フィルター（フィルター本体部）
２１Ａｂ    底部
２１Ａｉ    差込部
２１Ａｆ    蓋部
２１Ａｇ    流通部
２１Ａｈ    開口部
２２        支持部材
２２Ａ      支持部材
２２ｂ      底部
ｈ          孔部
【図１】
0005619200.tif 000002
【図２】
0005619200.tif 000003
【図３】
0005619200.tif 000004
【図４】
0005619200.tif 000005
【図５】
0005619200.tif 000006
【図６】
0005619200.tif 000007
【図７】
0005619200.tif 000008
【図８】
0005619200.tif 000009
【図９】
0005619200.tif 000010
【図１０】
0005619200.tif 000011
【図１１】
0005619200.tif 000012
【図１２】
0005619200.tif 000013
【図１３】
0005619200.tif 000014
【図１４】
0005619200.tif 000015
【図１５】
0005619200.tif 000016
【図１６】
0005619200.tif 000017
【図１７】
0005619200.tif 000018
【図１８】
0005619200.tif 000019
【図１９】
0005619200.tif 000020